(57)【特許請求の範囲】
【請求項１】
外郭筐体と、
前記外郭筐体内において階層構造を形成し、各階層を仕切るための仕切り部材と、
前記外郭筐体内の各階層に配置され、それぞれが光源部材と当該光源部材を冷却する冷却体とを有する複数の光源ユニットと、
前記冷却体に供給される冷却風としての空気を前記外郭筐体の外部から内部に取り込むための第１開口部と、
前記仕切り部材において、前記複数の光源ユニットの配置に沿って略中心部に形成された第２開口部と、
を備え、
前記複数の光源ユニットは前記第１開口部の付近に配置され、
前記外郭筐体の略上部に、前記第１開口部から前記外郭筐体の内部に前記冷却風を取り込み、前記第２開口部を通る風路を形成し、外部に排気する冷却ファンが配設された、光源装置。
【請求項２】
前記第１開口部の外部に遮光カバーを設けた、請求項１記載の光源装置。
【請求項３】
前記複数の光源ユニットは、前記光源ユニットの光ファイバ等が取り付けられる先端部を筐体の内部方向に向けて配置された、請求項１または請求項２記載の光源装置。
【請求項４】
前記複数の光源ユニットは、前記光源部材を駆動する駆動回路をさらに備えた、請求項１から請求項３のいずれか１つに記載の光源装置。
【請求項５】
前記光源部材と当該光源部材を冷却する前記冷却体はヒートパイプにて結合され、前記ヒートパイプは略９０度に曲げられている、請求項１から請求項４のいずれか１つに記載の光源装置。
【発明の詳細な説明】
【技術分野】
【０００１】
本発明は、光源装置に関し、特にレーザ素子、発光ダイオード素子等を有する光源部材の冷却構造に関するものである。
【背景技術】
【０００２】
従来から光源装置に関して、レーザ素子、発光ダイオード素子等を有する光源部材を冷却するための様々な技術が提案されている。例えば特許文献１には、投射型映像表示装置で使用される光源装置において、外郭筐体内に配置された複数の光源部材の配置方向に沿って冷却風を送り込む風冷冷却方式の冷却機構が記載されている。
【先行技術文献】
【特許文献】
【０００３】
【特許文献１】特開２０１１−１５４８５５号公報
【発明の概要】
【発明が解決しようとする課題】
【０００４】
しかしながら、外郭筐体内に階層構造が形成され各階層に複数の光源部材が配置された光源装置において、風冷冷却方式の冷却機構を採用した場合、各階層に配置された複数の光源部材の配置方向に沿って冷却風を送り込む構造であるため、例えば外郭筐体内において各階層の長手方向に複数の光源部材が配置された場合、外郭筐体内の風路における相対的に小さな断面積に対して多くの流量を流すことが必要となる。その結果、冷却風の流速が増し、排熱するための流体系において圧力損失が大きくなるため、冷却効率が悪くなるという問題がある。
【０００５】
そこで、本発明は、階層構造を有する風冷冷却方式の光源装置において冷却効率を向上させることを目的とする。
【課題を解決するための手段】
【０００６】
本発明に係る光源装置は、外郭筐体と、前記外郭筐体内において階層構造を形成し、各階層を仕切るための仕切り部材と、前記外郭筐体内の各階層に配置され、それぞれが光源部材と当該光源部材を冷却する冷却体とを有する複数の光源ユニットと、前記冷却体に供給される冷却風としての空気を前記外郭筐体の外部から内部に取り込むための第１開口部と、前記仕切り部材において、前記複数の光源ユニットの配置に沿って略中心部に形成された第２開口部とを備え、前記複数の光源ユニットは前記第１開口部の付近に配置され、前記外郭筐体の略上部に、前記第１開口部から前記外郭筐体の内部に前記冷却風を取り込み、前記第２開口部を通る風路を形成し、外部に排気する冷却ファンが配設されたものである。
【発明の効果】
【０００７】
本発明によれば、各階層を仕切る仕切り部材において、複数の光源ユニットの配置に沿って略中心部に第２開口部が形成されたため、外部から取り込まれた冷却風は第２開口部を介して下の階層から上の階層に流れる。このように、冷却風が外郭筐体内の風路における相対的に大きな断面積に対して流れるため、外郭筐体内の風路における圧力損失が低減され、冷却効率を向上させることができる。
【図面の簡単な説明】
【０００８】
【図１】実施の形態１に係る光源装置の横断面図である。
【図２】実施の形態１に係る光源装置の縦断面図である。
【図３】仕切り部材の平面図である。
【図４】仕切り部材の側面図である。
【図５】他の例における仕切り部材の平面図である。
【図６】他の例における仕切り部材の側面図である。
【図７】比較例に係る光源装置の横断面図である。
【図８】比較例に係る光源装置の縦断面図である。
【図９】比較例に係る光源装置の仕切り部材の平面図である。
【図１０】比較例に係る光源装置の仕切り部材の側面図である。
【図１１】実施の形態２に係る光源装置の横断面図である。
【図１２】実施の形態２に係る光源装置の縦断面図である。
【図１３】実施の形態３に係る光源装置の横断面図である。
【図１４】実施の形態３に係る光源装置の縦断面図である。
【図１５】実施の形態４に係る光源装置の横断面図である。
【図１６】実施の形態４に係る光源装置の縦断面図である。
【図１７】実施の形態５に係る光源装置の横断面図である。
【図１８】実施の形態５に係る光源装置の縦断面図である。
【発明を実施するための形態】
【０００９】
＜実施の形態１＞
本発明の実施の形態１について、図面を用いて以下に説明する。図１および図２は本発明の実施の形態１に係る光源装置５００の横断面図および縦断面図である。光源装置５００は、例えば直方体の外郭筐体１２と、外郭筐体１２内において階層構造を形成しかつ各階層を仕切るための仕切り部材１６と、外郭筐体１２内の各階層に配置された複数の光源ユニット７０，８０と、外郭筐体１２に形成された開口部１２ａ（第１開口部）と、仕切り部材１６において複数の光源ユニット７０の配置に沿って形成された開口部１６ａ（第２開口部）とを備えている。
【００１０】
外郭筐体１２には、互いに対面する２つの側板１２ｃ，１２ｄのそれぞれに対して、冷却風を外郭筐体１２の外側から内側に取り込むための複数の開口部１２ａが形成され、開口部１２ａの外側にフィルタ３１と遮光カバー３０がそれぞれ取り付けられている。また、外郭筐体１２の内部（より具体的には外郭筐体１２の上板の内側）には冷却ファン１３が取り付けられている。この冷却ファン１３が回転することによって、外郭筐体１２の外側の空気が冷却風として複数の開口部１２ａから外郭筐体１２の内部に取り込まれる。外郭筐体１２内に取り込まれた冷却風は、外郭筐体１２内に設けられた複数の光源ユニット７０，８０を冷却して、排出開口部１２ｂから外郭筐体１２の外部に排出される。なお、図面において示される矢印は冷却風が流れる方向を示すものとする。
【００１１】
次に外郭筐体１２内に収容された光源ユニット７０，８０について説明する。本実施の形態では、外郭筐体１２の内部は２階層からなる。外郭筐体１２内において、例えば１０個の第１光源ユニット７０が上の階層である上段部に配置され、１０個の第２光源ユニット８０が下の階層である下段部に配置されている。上段部において、１０個の光源ユニット７０のうちの５個の光源ユニット７０が、外郭筐体１２の一方の側板１２ｃに沿ってー列に配置されており、残りの５個の光源ユニット７０が、外郭筐体１２の他方の側板１２ｄに沿ってー列に配置されている。第１光源ユニット７０は、例えば赤色レーザを出力する第１光源部材７２と、第１光源部材７２を冷却するヒートパイプユニット３（冷却体）と、駆動回路（図示省略）が配設された第１駆動基板７１とを備えている。
【００１２】
一方、下段部においても、１０個の第２光源ユニット８０が上段部と同様に配置されている。第２光源ユニット８０は、例えば緑色レーザを出力する第２光源部材８２と、第２光源部材８２を冷却するヒートパイプユニット３（冷却体）と、駆動回路（図示省略）が配設された第２駆動基板８１とを備えている。第１駆動基板７１および第２駆動基板８１は、外郭筐体１２内の各階層に配置された電源６００から各駆動回路の動作に必要な電力が供給される。なお、第１駆動基板７１または第２駆動基板８１は必須のものではなく、設計によっては電源６００から光源部材７２，８２を直接駆動する場合もある。
【００１３】
第１光源部材７２は、例えば赤色を発光する発光素子を有する第１光源本体部７２ａと、第１光源本体部７２ａで生成された赤色光を出力する第１光源先端部７２ｂとで構成されている。第１光源本体部７２ａが備える発光素子は、例えばレーザ素子である。なお、当該発光素子は発光ダイオードであってもよい。第１光源先端部７２ｂには光ファイバ等が取り付けられる。
【００１４】
第２光源部材８２は、例えば緑色を発光する発光素子を有する第２光源本体部８２ａと、第２光源本体部８２ａで生成された緑色光を出力する第２光源先端部８２ｂとで構成されている。第２光源本体部８２ａが備える発光素子は、例えばレーザ素子である。なお、当該発光素子は発光ダイオードであってもよい。第２光源先端部８２ｂには光ファイバ等が取り付けられる。
【００１５】
複数の光ファイバは束ねられて、例えば外郭筐体１２の上板から外郭筐体１２の外側に引き出される。これにより、複数の光源ユニット７０，８０が出力する赤色レーザ光、緑色レーザ光が外郭筐体１２の外部に取り出される。光源装置５００から出力される赤色レーザ光、緑色レーザ光は、例えばプロジェクタなどのディスプレイ装置における光源として使用される。
【００１６】
ヒートパイプユニット３は、ヒートブロック３ａと、少なくとも１つのヒートパイプ３ｂと 、複数のフィン３ｃとをそれぞれ備えている。
【００１７】
第１光源ユニット７０では、ヒートパイプユニット３は、第１光源部材７２とヒートブロック３ａにおいて接触しており、第１光源部材７２で発生する熱を吸収して第１光源部材７２を冷却する。同様に、第２光源ユニット８０では、ヒートパイプユニット３は、第２光源部材８２にヒートブロック３ａにおいて接触しており、第２光源部材８２で発生する熱を吸収して第２光源部材８２を冷却する。
【００１８】
外郭筐体１２の側板１２ｃ，１２ｄの上段部に対応する位置に、それぞれ５個の開口部１２ａが形成され、外郭筐体１２の側板１２ｃ，１２ｄの下段部に対応する位置に、それぞれ５個の開口部１２ａが形成されている。各第１，第２光源ユニット７０，８０は、ヒートパイプユニット３が開口部１２ａと対向する位置に位置するように配置されている。
【００１９】
次に、仕切り部材１６について説明する。図３および図４は、仕切り部材１６の平面図および側面図である。仕切り部材１６は、外郭筐体１２内において上の階層である上段部と、下の階層である下段部との間に配置され、仕切り部材１６の上面に第１光源ユニット７０が配置されている。仕切り部材１６の中央部には、複数の光源ユニット７０の配置に沿ってスリット状の開口部１６ａが形成されている。図３と図４に示すように、下段部において開口部１２ａから各ヒートパイプユニット３のフィン３ｃ間に取り込まれた冷却風は、仕切り部材１６に形成されたスリット状の開口部１６ａを通って、排出開口部１２ｂから排出される。
【００２０】
風路各部における圧力損失ΔＰｉは以下の式で表される。
【００２１】
ΔＰｉ＝ξｉ・ｖｉ２・γｉ／（２ｇ）
ｖｉ＝Ｑｉ／Ｓｉ
ここで、ξｉ：流体路の損失係数、ｖｉ：流速、γｉ：空気の比重量、ｇ：重力加速度、Ｑｉ：流体系の流量、Ｓｉ：流体系各部の断面積、を表す。また、トータルの圧力損失ΔＰtotalは
ΔＰtotal＝Σξｉ・ｖｉ２・γｉ／（２ｇ）
で表せられる。上記の関係において圧力損失は流速の２乗に比例し、また、その流速は流量一定の系において流路の断面積に反比例することがわかる。
【００２２】
一般的にヒートパイプユニット３を用いた冷却における流体系設計では、フィン３ｃを通過する際の圧力損失が必然的に大きくなる。これは効率良く冷却を行なうために、フィン３ｃ間のピッチを１〜２ｍｍと狭くする一方で、０．５〜１．５ｍ／ｓの流速の空気を流す必要があるからである。冷却ファン１３に対する負荷（圧力損失、電力）、サイズ等を抑制し、効率良く冷却するための空気を流すには、ヒートパイプユニット３の設計のみならず、その他の部分における圧力損失低減の工夫が重要となる。本発明では、仕切り部材１６において、複数の第１光源ユニット７０の配置に沿ってスリット状の開口部１６ａを形成することで冷却風の排出に伴う流路系の断面積Ｓｉを大きく設定でき、冷却ファン１３への必要圧力損失低減、負荷低減に成功している。
【００２３】
次に、仕切り部材の他の例について説明する。図５および図６は、他の例における仕切り部材１７の平面図および側面図である。仕切り部材１７は、側板１７ａと、支持部１７ｂと、端板１７ｃと、開口部１７ｄにより構成される。仕切り部材を図３および図４に示すように構成した場合、複数の第１光源ユニット７０の配置に沿って開口部１６ａが形成されたことで、仕切り部材１６が上段部の光源ユニット７０を支える上で強度不足となる場合がある。そのような場合は、側板１７ａを複数の支持部１７ｂで支える構造としてもよい。
【００２４】
この場合、仕切り部材１７の開口部１７ｄの一部が複数の支持部１７ｂにより塞がれることになるが、支持部１７ｂの幅が開口部１７ｄの面積と比べて小さいことから、現実的にその影響を無視することができる。これにより、十分な流路系の断面積Ｓｉを確保することができることから、本発明の効果を抑制するものではない。
【００２５】
なお、本実施の形態において、第１光源部材７２が出力する光の色と、第２光源部材８２が出力する光の色とを互いに異ならせていたが、同じとしてもよい。この場合には、第１光源部材７２と第２光源部材８２を同じ構造とすることができ、第１駆動基板７１と第２駆動基板８１とを同じ構造とすることができる。よって、第１光源ユニット７０と第２光源ユニット８０とを同じ構造で構成することができる。
【００２６】
次に、本実施の形態に係る光源装置５００の利点について、他の構成である比較例に係る光源装置９００と比較しながら説明する。図７および図８は、比較例に係る光源装置９００の横断面図および縦断面図である。図７は図１に対応し、図８は図２に対応している。
【００２７】
光源装置９００では、外郭筐体１２内において、１０個の第１光源ユニット９１０が上段部に、１０個の第２光源ユニット９２０が下段部に配置されている。各光源ユニット９１０，９２０は、本実施の形態に係る各第１，第２光源ユニット７０，８０と同様の構造を有している。第１光源ユニット９１０は、例えば赤色レーザを出力する第１光源部材９１２と、第１光源部材９１２を冷却するヒートパイプユニット３と、第１駆動基板９１１とを備えている。第１光源部材９１２は、例えば赤色を発光する発光素子を有する第１光源本体部９１２ａと、第１光源本体部９１２ａで生成された赤色光を出力する第１光源先端部９１２ｂとで構成されている。
【００２８】
また、第２光源ユニット９２０は、例えば緑色レーザを出力する第２光源部材９２２と、第２光源部材９２２を冷却するヒートパイプユニット３と、第２駆動基板９２１とを備えている。第２光源部材９２２は、例えば緑色を発光する発光素子を有する第２光源本体部９２２ａと、第２光源本体部９２２ａで生成された緑色光を出力する第２光源先端部９２２ｂとで構成されている。
【００２９】
図９および図１０は、比較例に係る光源装置９００の仕切り部材１８の平面図および側面図である。図９と図１０に示すように、光源装置９００では、下段部の排熱を上段部に導く開口部１８ａは仕切り部材１８において光源ユニット９１０の配置に沿って形成されておらず、その端部のみに存在する。また、排熱するための開口部１２ａと冷却ファン１３は、外郭筐体１２において仕切り部材１８の開口部１８ａのほぼ上方に設けられている。
【００３０】
このような構造を有する比較例に係る光源装置９００では、冷却ファン１３が回転すると、冷却風が、外郭筐体１２の表面に取り付けられた遮光カバー３０の底面の開口部３０ａを通った後に、フィルタ３１、複数の開口部１２ａから外郭筐体１２内に取り込まれる。上段部では外郭筐体１２内に取り込まれた冷却風は、冷却ファン１３の推進力によって、ヒートパイプユニット３の複数のフィン３ｃ間を通った後、光源ユニット９１０が並ぶ外郭筐体１２の長手方向の中央部に沿って流れ、外郭筐体１２の端部に設けられた排出開口部１２ｂから外郭筐体１２の外部に排出される。
【００３１】
また、下段部では外郭筐体１２内に取り込まれた冷却風は、冷却ファン１３の推進力によって、ヒートパイプユニット３の複数のフィン３ｃ間を通った後、光源ユニット９２０が並ぶ長手方向の中央部に沿って流れ、仕切り部材１８の端部に設けられた開口部１８ａを通過して上段部に入り、排出開口部１２ｂを介して外部に排出される。このようにして、比較例に係る光源装置９００において複数の光源ユニット９１０，９２０の光源部材９１２，９２２が冷却されることになる。
【００３２】
比較例に係る光源装置９００では前記のように、各ヒートパイプユニット３のフィン３ｃ間を通った冷却風が外郭筐体１２の長手方向に沿って流れる構成のため、外郭筐体１２内における相対的に小さな断面積に対して多くの流量を流すことが必要となり、その結果その間の流速が増し、排熱するための流体系において圧力損失が増すことになる。このため、冷却ファン１３に対して大きな静圧特性を有するブロワが必要となり、ブロワでの消費電力が大きくなり、また、ブロワの寸法が大きくなるという課題が生じる。また、冷却ファン１３の音も相対的に大きくなり性能上の課題となる。
【００３３】
これに対して、本実施の形態に係る光源装置５００では、上段部に配置された第１光源ユニット７０と下段部に配置された第２光源ユニット８０の構成において、上段部と下段部との間に配置された仕切り部材１６に対し、外郭筐体１２の長手方向において第１光源ユニット７０の配置に沿うように略中心部に大きな断面積の開口部１６ａ（風路）を設けたため、外部から取り込まれた冷却風は大きな断面積の開口部１６ａを介して下段部から上段部に流れる。このように、冷却風が外郭筐体１２内の風路における大きな断面積に対して流れるため、外郭筐体１２内の風路における圧力損失が低減され、冷却効率を向上させることができる。
【００３４】
また、外郭筐体１２の内部に、開口部１２ａから外郭筐体１２の内部に冷却風を取り込む冷却ファン１３が配設されたため、冷却風を効率よく流すことができ、さらに外郭筐体１２内の風路における圧力損失が低減されることから、冷却ファン１３の負荷が低減され、冷却風を一層効率よく流すことが可能となる。
【００３５】
また、冷却ファン１３の消費電力が小さくなると共に、冷却ファン１３のサイズも小型化され、冷却ファン１３の騒音も低減できるというメリットがある。さらに、上述した効果に伴い、光源装置５００の小型化および耐久性の向上、エネルギー消費量の削減および製品のライフサイクルにおける各段階での環境負荷の低減等の効果が得られる。
【００３６】
なお、本実施の形態では、排出開口部１２ｂと冷却ファン１３は、外郭筐体１２の上板のほぼ中心部に設けられているが、外郭筐体１２の長手方向端部に設けられた場合にも同様の効果が得られる。
【００３７】
＜実施の形態２＞
次に、実施の形態２に係る光源装置５００について説明する。図１１および図１２は、実施の形態２に係る光源装置５００の横断面図および縦断面図である。なお、実施の形態２において、前記実施の形態で説明したものと同様構成要素については同一符号を付して説明は省略する。
【００３８】
実施の形態２に係る光源装置５００においては、ヒートパイプ３ｂは途中部でほぼ９０度に曲げられ、その結果、ヒートブロック３ａは仕切り部材１６に対してほぼ平行に配置されている。このような構造を採用することにより外郭筐体１２の幅が長くなる可能性はあるが、高さを低く抑えることができるというメリットがある。
【００３９】
＜実施の形態３＞
次に、実施の形態３に係る光源装置５００について説明する。図１３および図１４は、実施の形態３に係る光源装置５００の横断面図および縦断面図である。なお、実施の形態３において、前記実施の形態で説明したものと同様構成要素については同一符号を付して説明は省略する。
【００４０】
実施の形態３に係る光源装置５００には、２台の冷却ファン１３が配設されている。冷却ファン１３が２台に増加された場合、冷却ファン１３の最大静圧は変化せず、風量のみが２倍の特性となる。この際、静圧特性の余裕に応じて冷却風の流速を増大することができ、ヒートパイプユニット３における冷却能力を増大することができる。ちなみに、流体系の圧力損失が冷却ファン１３の静圧特性に比べて十分に低い場合には、ファン台数を２台に増加させると、冷却風の流速を最大２倍弱まで増大することができ、その際、冷却ファン１３に負荷される圧損は最大４倍弱まで増加することになる。
【００４１】
＜実施の形態４＞
次に、実施の形態４に係る光源装置５００について説明する。図１５および図１６は、実施の形態４に係る光源装置５００の横断面図および縦断面図である。なお、実施の形態４において、前記実施の形態で説明したものと同様構成要素については同一符号を付して説明は省略する。
【００４２】
実施の形態４に係る光源装置５００においては、外郭筐体１２の外部に冷却ファン１３が配設されている。冷却ファン１３を外郭筐体１２の外側に配設することにより、外郭筐体１２の高さを低く抑えることができ、また、外郭筐体１２の幅を小さく抑えることができるメリットがある。その際、冷却ファン１３は、例えば外郭筐体１２の上板上に配設されることになるが、建屋設備として排気ダクトが設けられ、排熱を周囲に出さない場合においては、排気ダクトにより元々スペースを取られることになり問題とならない。
【００４３】
＜実施の形態５＞
次に、実施の形態５に係る光源装置５００について説明する。図１７および図１８は、実施の形態５に係る光源装置５００の横断面図および縦断面図である。なお、実施の形態５において、前記実施の形態で説明したものと同様構成要素については同一符号を付して説明は省略する。
【００４４】
実施の形態５に係る光源装置５００においては、３階層構造とした例について示しており、上段部には第１光源ユニット７０、中段部には第２光源ユニット８０、下段部には第３光源ユニット９０が配置されている。
【００４５】
中段部と下段部との間には長手方向に開口部１９ａ（第２開口部）を有する仕切り部材１９が配置されている。開口部１９ａは、仕切り部材１６に形成された開口部１６ａと同様に、仕切り部材１９において複数の第２光源ユニット８０の配置に沿って形成されている。
【００４６】
第３光源ユニット９０は、例えば青色レーザを出力する第３光源部材９２と、第３光源部材９２を冷却するヒートパイプユニット３（冷却体）と、駆動回路（図示省略）が配設された第３駆動基板９１とを備えている。
【００４７】
第３光源部材９２は、例えば青色を発光する発光素子を有する第３光源本体部９２ａと、第３光源本体部９２ａで生成された青色光を出力する第３光源先端部９２ｂとで構成されている。第３光源本体部９２ａが備える発光素子は、例えばレーザ素子である。なお、当該発光素子は発光ダイオードであってもよい。第３光源先端部９２ｂには光ファイバ等が取り付けられる。
【００４８】
本実施の形態においても、冷却風が中段部、下段部から上段部に流れ込む過程における流路の圧力損失は、各々外郭筐体１２の長手方向に沿った開口部１６ａ，１９ａにおいて大きな流路断面積が確保されているため、ほぼ最小にすることが可能となる。
【００４９】
＜実施の形態１〜５の変形例＞
次に、実施の形態１〜５の変形例について説明する。前記実施の形態では、開口部１２ａにおいて遮光カバー３０を設けているが、これは例えば第１光源先端部７２ｂまたは第２光源先端部８２ｂに対し接続する光ファイバが誤って外れた場合、外郭筐体１２内の光が外部に漏れ出さないようにするためのものである。このため、光源先端部７２ｂ，８２ｂと光ファイバとの接続が強固であれば、遮光カバー３０は必要ではなく、必ずしも本発明において必須の構成要件ではない。
【００５０】
また、光ファイバは必ずしも必須の構成要件ではなく、複数の光源材料から出射された光を例えば光学系を使って合成する光源装置においても、本発明が有効なことはいうまでもない。
【００５１】
また、第１光源ユニット７０、第２光源ユニット８０、第３光源ユニット９０は、例えば同じ構造を有する赤色光源であってもよいし、緑色光源であってもよいし、青色光源であってもよいし、同じ階層においてこれらが混在していてもよい。
【００５２】
また、前記実施の形態では、第１光源ユニット７０と第２光源ユニット８０に対して第１駆動基板７１と第２駆動基板８１をそれぞれ設けていたが、第１光源ユニット７０に第１駆動基板７１を設けなくてもよいし、第２光源ユニット８０に第２駆動基板８１を設けなくてもよい。
【００５３】
さらに、第１光源ユニット７０は、第１光源部材７２を駆動する駆動回路が配設された第１駆動基板７１を備えているが、第１駆動基板７１について、熱伝導部材を間に挟んで板状部材（図示省略）に取り付けてもよい。具体的には、第１駆動基板７１に搭載されている、動作中に温度が上昇する電子部品に対して熱伝導シート（熱伝導部材）を貼り付け、熱伝導シートが板状部材に押し付けられた状態で第１駆動基板７１を板状部材に取り付ける。板状部材はヒートパイプユニット３に取り付けられるため、第１駆動基板５とヒートパイプユニット３とが熱的に接続されることになる。これにより、ヒートパイプユニット３を利用して駆動回路を含む第１駆動基板７１を冷却することができる。なお、第２駆動基板８１、第３駆動基板９１についても同様に、熱伝導部材を間に挟んで板状部材に取り付けてもよい。
【００５４】
なお、本発明は、その発明の範囲内において、各実施の形態を自由に組み合わせたり、各実施の形態を適宜、変形、省略することが可能である。
【符号の説明】
【００５５】
３  ヒートパイプユニット、１２  外郭筐体、１２ａ  開口部、１３  冷却ファン、１６  仕切り部材、１６ａ  開口部、１７  仕切り部材、１７ｄ  開口部、１９  仕切り部材、１９ａ  開口部、７０  第１光源ユニット、７２  第１光源部材、８０  第２光源ユニット、８２  第２光源部材、９０  第３光源ユニット、９２  第３光源部材、５００  光源装置。
【図１】
0005943673.tif 000002
【図２】
0005943673.tif 000003
【図３】
0005943673.tif 000004
【図４】
0005943673.tif 000005
【図５】
0005943673.tif 000006
【図６】
0005943673.tif 000007
【図７】
0005943673.tif 000008
【図８】
0005943673.tif 000009
【図９】
0005943673.tif 000010
【図１０】
0005943673.tif 000011
【図１１】
0005943673.tif 000012
【図１２】
0005943673.tif 000013
【図１３】
0005943673.tif 000014
【図１４】
0005943673.tif 000015
【図１５】
0005943673.tif 000016
【図１６】
0005943673.tif 000017
【図１７】
0005943673.tif 000018
【図１８】
0005943673.tif 000019